(57)【要約】【課題】信頼性を向上する。【解決手段】紙幣出金機１０は、紙幣が収納される出金カセット２０と、出金カセット２０に収納されている紙幣を搬送する束搬送ユニット１４と、束搬送ユニット１４により搬送される紙幣を出金する出金機出金口４６と、出金機出金口４６から出金した紙幣を取り込んで収納する収納空間５９ＳＳが内部に形成され、該収納空間５９ＳＳと連通する取込孔３２Ｈが設けられたリトラクト庫５９とを設け、束搬送ユニット１４は、紙幣の搬送方向に沿って移動可能な可動搬送ガイド３８を有し、可動搬送ガイド３８は、取込孔３２Ｈからリトラクト庫５９の外部にはみ出した紙幣と接触することで、該紙幣を収納空間５９ＳＳへ押し込むガイドリブ３８Ｒを設ける。【選択図】図２
2019152933.tif 000002
【特許請求の範囲】
【請求項１】
紙幣が収納される紙幣収納庫と、
前記紙幣収納庫に収納されている前記紙幣を搬送する搬送部と、
前記搬送部により搬送される前記紙幣を出金する出金部と、
前記出金部から出金した紙幣を取り込んで収納する収納空間が内部に形成され、該収納空間と連通する開口部が設けられた回収庫とを備え、
前記搬送部は、
前記紙幣の搬送方向に沿って移動可能な可動ガイドを有し、
前記可動ガイドは、
前記開口部から前記回収庫の外部にはみ出した前記紙幣と接触することで、該紙幣を前記収納空間へ押し込む押込部を有する
現金自動支払機。
【請求項２】
前記回収庫が装填される回収庫装填フレームと、
前記回収庫装填フレームにおける前記回収庫の近傍に設けられる表示部と、
少なくとも前記回収庫の状態を通知するよう前記表示部を制御する制御部と
を備える請求項１に記載の現金自動支払機。
【請求項３】
前記回収庫は、カセットリブが形成されており、
前記押込部は、前記可動ガイドが前記紙幣を前記収納空間へ押し込む方向へ移動した際に前記カセットリブとオーバーラップする押込部リブが形成されている
請求項１に記載の現金自動支払機。
【請求項４】
前記押込部は、前記紙幣が引っかかる引掛部が先端に形成されている
請求項３に記載の現金自動支払機。
【請求項５】
前記引掛部は、凹凸形状である
請求項４に記載の現金自動支払機。
【請求項６】
前記可動ガイドは、移動することにより前記開口部を閉塞又は開放させ、
前記開口部を閉塞させた状態の前記可動ガイドを検出する可動ガイド検出センサと、
前記開口部を閉塞させる方向へ前記可動ガイドの移動を開始してから所定時間以内に前記可動ガイド検出センサが前記可動ガイドを検出できなかった場合、前記開口部からはみ出した前記紙幣を前記回収庫内に収納できなかったと判定する制御部と
をさらに備える請求項１に記載の現金自動支払機。
【請求項７】
前記可動ガイドの移動時に一定以上の負荷が前記可動ガイドに加わった際に、前記可動ガイドを移動する駆動の伝達が切れる駆動伝達機構
をさらに備える請求項６に記載の現金自動支払機。
【請求項８】
前記現金自動支払機において取り扱われる紙幣のうち、搬送方向に沿う長さが最も短い最小短辺方向長さ紙幣における搬送方向に沿った長さである、紙幣最小搬送方向長さよりも短い長さだけ、前記回収庫の上面から内部へ離れた位置に、光軸が配置され、前記回収庫の上面からはみ出している紙幣を検出する残留紙幣検知センサ
をさらに備える請求項１に記載の現金自動支払機。
【請求項９】
紙幣が収納されるカセットと、
前記紙幣を搬送する搬送部と、
前記搬送部により搬送される前記紙幣を出金する出金部と、
前記カセットが装填される装填フレームと、
前記装填フレームにおける前記カセットの近傍に設けられる表示部と、
前記カセットの状態を通知するよう前記表示部を制御する制御部と
を備える現金自動支払機。
【請求項１０】
前記カセットは、
前記紙幣が収納される紙幣収納庫と、
前記出金部から出金した前記紙幣を取り込んで収納する収納空間が内部に形成され、該収納空間と連通する開口部が設けられた回収庫と
であって、
前記装填フレームは、
前記紙幣収納庫が装填される収納庫装填フレームと、
前記回収庫が装填される回収庫装填フレームと
からなり、
前記表示部は、前記収納庫装填フレームにおける前記紙幣収納庫の近傍と、前記回収庫装填フレームにおける前記回収庫の近傍とに設けられ、
前記制御部は、前記紙幣収納庫及び前記回収庫の状態を通知するよう前記表示部を制御する
請求項９に記載の現金自動支払機。
【請求項１１】
前記制御部は、
前記回収庫に収納可能な紙幣の残り容量を通知するよう前記表示部を制御する
請求項１０に記載の現金自動支払機。
【請求項１２】
前記制御部は、
前記回収庫に収納しきれなかった残留紙幣が前記開口部近傍に存在するか否かを通知するよう前記表示部を制御する
請求項１０に記載の現金自動支払機。
【請求項１３】
前記制御部は、
前記回収庫及び前記紙幣収納庫の着脱状態を通知するよう前記表示部を制御する
請求項１０に記載の現金自動支払機。
【請求項１４】
前記制御部は、
前記現金自動支払機の動作状態を通知するよう前記表示部を制御する
請求項１０に記載の現金自動支払機。
【請求項１５】
前記制御部は、
前記紙幣収納庫と搬送路との搬送受渡部における紙幣の残留状態を通知するよう前記表示部を制御する
請求項１０に記載の現金自動支払機。
【請求項１６】
前記制御部は、
前記現金自動支払機の動作モードを通知するよう前記表示部を制御する
請求項１０に記載の現金自動支払機。
【発明の詳細な説明】
【技術分野】
【０００１】
本発明は現金自動支払機に関し、例えば媒体としての紙幣を出金する紙幣出金機に適用して好適なものである。
【背景技術】
【０００２】
従来、金融機関等で使用される紙幣出金機においては、利用者（例えば金融機関の顧客）からの要求に応じて紙幣や硬貨等の現金を出金するものが広く普及している。紙幣出金機としては、例えば紙幣を収納する紙幣収納庫と、紙幣を搬送する搬送部と、紙幣を鑑別する鑑別部と、出金可能な紙幣を集積する集積部と、出金すべきで無いリジェクト紙幣を収納するリジェクト収納庫と、集積された紙幣の束を搬送する束搬送部と、利用者に紙幣を引き渡す出金口とを有するものが提案されている（例えば、特許文献１参照）。このような紙幣出金機においては、出金時に利用者が取り忘れた紙幣をリトラクト庫に収納するものがある。
【先行技術文献】
【特許文献】
【０００３】
【特許文献１】特開２０１６−１５１９３５号公報
【発明の概要】
【発明が解決しようとする課題】
【０００４】
そのような現金自動取引装置においては、紙幣を収納する収納庫と、紙幣を搬送する搬送部との受け渡し部で紙幣が残留してしまうことがある。紙幣が受け渡し部に残留した状態で収納庫を回収しようとすると、受け渡し部に残留した紙幣を現金自動取引装置内に残してしまう可能性があった。
【０００５】
本発明は以上の点を考慮してなされたもので、信頼性を向上し得る現金自動支払機を提案しようとするものである。
【課題を解決するための手段】
【０００６】
かかる課題を解決するため本発明の現金自動支払機においては、紙幣が収納される紙幣収納庫と、紙幣収納庫に収納されている紙幣を搬送する搬送部と、搬送部により搬送される紙幣を出金する出金部と、出金部から出金した紙幣を取り込んで収納する収納空間が内部に形成され、該収納空間と連通する開口部が設けられた回収庫とを設け、搬送部は、紙幣の搬送方向に沿って移動可能な可動ガイドを有し、可動ガイドは、開口部から回収庫の外部にはみ出した紙幣と接触することで、該紙幣を収納空間へ押し込む押込部を有するようにした。
【０００７】
本発明は、回収庫の開口部から溢れた紙幣を回収庫内部へ押し込むことができ、紙幣を収納する回収庫と、紙幣を搬送する束搬送路との受け渡し部に紙幣が残留してしまうことを防止できる。
【０００８】
また本発明の現金自動支払機においては、紙幣が収納されるカセットと、紙幣を搬送する搬送部と、搬送部により搬送される紙幣を出金する出金部と、カセットが装填される装填フレームと、装填フレームにおけるカセットの近傍に設けられる表示部と、カセットの状態を通知するよう表示部を制御する制御部とを設けるようにした。
【０００９】
本発明は、紙幣が残留していることを行員に提示して紙幣を除去させることで、紙幣を収納する紙幣収納庫と紙幣を搬送する搬送部との搬送受渡部と、紙幣を収納する回収庫と紙幣を搬送する束搬送路との受け渡し部とに紙幣が残ってしまうことを防止できる。
【発明の効果】
【００１０】
本発明によれば、信頼性を向上し得る現金自動支払機を実現できる。
【図面の簡単な説明】
【００１１】
【図１】第１の実施の形態による現金自動取引装置の構成を示す斜視図である。
【図２】紙幣出金機の構成を示す左側面図である。
【図３】噛合部の構成を示し、（Ａ）は左側面図、（Ｂ）は背面図、（Ｃ）は平面図である。
【図４】後面扉が開放された状態の現金自動取引装置の構成を示す背面図である。
【図５】第１の実施の形態による表示部の構成を示す背面図である。
【図６】第１の実施の形態による紙幣出金機の制御構成を示すブロック図である。
【図７】出金動作（１）を示す左側面図である。
【図８】出金動作（２）を示す左側面図である。
【図９】出金動作（３）を示す左側面図である。
【図１０】取込動作（１）を示す左側面図である。
【図１１】取込動作（２）を示す左側面図である。
【図１２】取込動作（３）を示す左側面図である。
【図１３】残留紙幣確認動作を示す左側面図である。
【図１４】残留紙幣確認動作において紙幣束が溢れた状態を示す左側面図である。
【図１５】残留紙幣確認動作において紙幣束を押し込む状態を示す左側面図である。
【図１６】残留紙幣確認動作において紙幣束を押し込めない状態を示す左側面図である。
【図１７】第１の実施の形態による表示処理手順を示すフローチャートである。
【図１８】カセット装着状態表示処理手順を示すフローチャートである。
【図１９】第２の実施の形態による現金自動取引装置の構成を示す斜視図である。
【図２０】第２の実施の形態による現金自動取引装置の制御構成を示すブロック図である。
【図２１】第２の実施の形態による表示部の構成を示す背面図である。
【図２２】第２の実施の形態による表示処理手順を示すフローチャートである。
【図２３】第３の実施の形態による現金自動取引装置の構成を示す斜視図である。
【図２４】第３の実施の形態による紙幣出金機の制御構成を示すブロック図である。
【図２５】第３の実施の形態による表示切替スイッチによる表示モードの切り替わりを示す状態遷移図である。
【図２６】第３の実施の形態による表示部の運用表示を示す正面図である。
【発明を実施するための形態】
【００１２】
以下、発明を実施するための形態（以下実施の形態とする）について、図面を用いて説明する。
【００１３】
［１．第１の実施の形態］
［１−１．現金自動取引装置の外観構成］
図１に外観を示すように現金自動取引装置１は、箱状の筐体２を中心に構成されており、例えば金融機関等に設置され、顧客との間で出金取引等の現金に関する取引を行う。筐体２は、その前側に顧客が対峙した状態で紙幣の投入やタッチパネルによる操作等をしやすい箇所に顧客応対部３が設けられている。
【００１４】
顧客応対部３は、カード入出口４、出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。出金口５は、顧客へ出金する紙幣が排出される部分である。出金口５は、シャッタ（図示せず）を駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１５】
筐体２内には、現金自動取引装置１全体を統括制御する主制御部９や、紙幣に関する種々の処理を行う紙幣出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、各部を制御して出金取引等の種々の処理を行う。
【００１６】
筐体２は、後面側に、開閉可能な後面扉２Ｂが設けられている。後面扉２Ｂが開放された現金自動取引装置１の背面図を図４に示すように、後面扉２Ｂは、右端部に設けられた蝶番２ＢＨを支点として開閉可能に構成されている。筐体２は、顧客との間で取引処理が行われる取引動作時の場合には後面扉２Ｂを閉鎖することにより、現金自動取引装置１の内部を保護する。一方、筐体２は、保守員や金融機関の行員等により保守作業が行われる保守作業時の場合には、必要に応じて後面扉２Ｂを開放することにより、内部の各部に対する作業を容易に行わせ得る。このように現金自動取引装置１は、保守が行われる保守面が後面側となっている。以下では、現金自動取引装置１のうち顧客が対峙する側を前側とし、その反対を後側とし、該前側に対峙した顧客から見て左、右、上及び下をそれぞれ左側、右側、上側及び下側として説明する。
【００１７】
［１−２．紙幣出金機の構成］
図２に示すように、紙幣出金機１０は、大きく分けて下側の収納ユニット１２及び上側の束搬送ユニット１４により構成されており、さらに全体を制御する制御部１６（図１）が組み込まれている。この紙幣出金機１０は、その製造時に、下側の収納ユニット１２に上側の束搬送ユニット１４が取り付けられることにより組み立てられる。
【００１８】
［１−３．収納ユニットの構成］
収納ユニット１２は、直方体状の収納筐体１８内に、紙幣に関する種々の処理を行う複数の部分が組み込まれており、紙幣を収納すると共に、利用者に引き渡すべき紙幣を集積して紙幣束を生成する。この収納筐体１８内には、４個の出金カセット２０（第１出金カセット２０Ａ、第２出金カセット２０Ｂ、第３出金カセット２０Ｃ及び第４出金カセット２０Ｄ）、搬送部２２、鑑別部２６、集積部３０及びリジェクトカセット３２が設けられている。
【００１９】
出金カセット２０（第１出金カセット２０Ａ、第２出金カセット２０Ｂ、第３出金カセット２０Ｃ及び第４出金カセット２０Ｄ）は、収納筐体１８の後側における上下方向の中央から下側にかけて、互いに積み重なるように取り付けられている。各出金カセット２０は、上下方向に短く前後方向に長い扁平な直方体状に形成されており、その内部に、紙面を前後方向に向けて前後方向に沿って並んだ状態で、紙幣を収納する。以下では第１出金カセット２０Ａ、第２出金カセット２０Ｂ、第３出金カセット２０Ｃ及び第４出金カセット２０Ｄをまとめて出金カセット２０とも呼ぶ。また出金カセット２０の前側下部には、収納されている紙幣を搬送部２２に受け渡すための搬送受渡部としてのカセット繰出口３７が設けられている。さらに出金カセット２０内部の前側下部におけるカセット繰出口３７の後側には、収納されている紙幣を１枚ずつに分離して該カセット繰出口３７から繰り出すローラ群と、該ローラ群を駆動するアクチュエータとにより分離繰出部３６が構成されている。
【００２０】
出金カセット２０は、直方体状のフレームであるカセットフレーム３４を介し収納筐体１８に取り付けられる。カセットフレーム３４は、収納筐体１８の内部に設けられ、それぞれ１個の出金カセット２０を覆うように出金カセット２０毎に分割されて構成されている。これによりカセットフレーム３４は、紙幣出金機１０に装着可能な出金カセット２０の数量に合わせて追加又は削除が可能となっている。
【００２１】
各出金カセット２０は、収納筐体１８の収納庫装填フレームとしてのカセットフレーム３４に対し後方向へ引き抜かれることにより、該収納筐体１８から取り外され、また該収納筐体１８のカセットフレーム３４に対し位置を合わされ前方向へ押し込まれることにより、該収納筐体１８に装着される。すなわち各出金カセット２０は、収納筐体１８の後面から着脱可能に構成されている。また各出金カセット２０は、それぞれに収納される紙幣の金種が予め定められている。
【００２２】
カセットフレーム３４におけるカセット繰出口３７の前方には、搬送受渡センサ３１が設けられている。搬送受渡センサ３１は、例えば、光を出射する発光部と、該光を受光する受光部とにより構成されており、発光部からの光が遮光されたことを受光部で検出し、検出結果を制御部１６へ送出する。制御部１６は搬送受渡センサ３１の検出結果に基づいて紙幣の存在を検出する。具体的に搬送受渡センサ３１は、カセット繰出口３７に紙幣が残留していない場合において紙幣が光軸を遮っていないときは受光部が発光部からの光を受光している明状態としてＯＦＦ状態を検出する一方、カセット繰出口３７に紙幣が残留している場合において紙幣が光軸を遮っているときは受光部が発光部からの光を受光していない暗状態としてＯＮ状態を検出する。制御部１６は、搬送受渡センサ３１の検出結果に基づいて、カセット繰出口３７に紙幣が残留しているか否かを検出する。
【００２３】
搬送部２２は、図示しないローラやベルト、或いはこれらを駆動するモータ等により、紙幣を搬送する経路である搬送路を構成している。この搬送路は、図中に実線で示すように、各出金カセット２０のカセット繰出口３７と集積部３０及びリジェクトカセット３２とを接続している。搬送部２２は、各出金カセット２０から繰り出された紙幣を、短辺に沿う方向を進行方向に沿わせて概ね上方向へ進行させる。
【００２４】
鑑別部２６は、搬送部２２における第１出金カセット２０Ａの前方に、搬送部２２の搬送路に沿って設けられている。この鑑別部２６は、内部に厚みセンサやイメージセンサといった複数種類のセンサが組み込まれており、各センサから得られた情報を基に、搬送される紙幣の金種や走行状態等を鑑別し、その鑑別結果を制御部１６へ供給する。制御部１６は、得られた鑑別結果を基に、各紙幣の搬送先を決定する。具体的に制御部１６は、出金すべき正常な紙幣の搬送先を集積部３０に、出金すべきで無い紙幣（以下これをリジェクト紙幣と呼ぶ）の搬送先をリジェクトカセット３２に、それぞれ決定する。
【００２５】
切替部２８は、第１出金カセット２０Ａの上側における前後方向のほぼ中央に配置されており、制御部１６の制御に基づき、紙幣に当接して進行方向を変化させるブレード（図中三角形で示す）の傾斜角度を変更することにより、紙幣の進行方向を切り替える。また切替部２８は、搬送部２２により、前側の鑑別部２６、上側の集積部３０及び後側のリジェクトカセット３２とそれぞれ接続されている。この切替部２８は、前方から搬送されてきた紙幣それぞれの進行方向を、制御部１６において決定された搬送先に応じて切り替え、集積部３０又はリジェクトカセット３２へ進行させる。
【００２６】
集積部３０は、収納筐体１８内における最も上側の前側に位置しており、内部に紙幣を集積する空間である集積空間３０Ｓを形成している。この集積部３０は、集積空間３０Ｓ内に、上面に紙幣を集積する板状のステージ３０Ｔを有している。
【００２７】
また集積部３０における後側上寄りには、搬送部２２から搬送されてきた紙幣を集積空間３０Ｓ内へ放出する放出部３０Ｊが設けられている。このため集積部３０は、搬送部２２から搬送され放出部３０Ｊにより集積空間３０Ｓ内へ放出された紙幣を、ステージ３０Ｔ上に集積させる。このときステージ３０Ｔ上に集積された紙幣は、束状に積み重ねられている。以下では、このように積み重ねられた紙幣を紙幣束とも呼ぶ。
【００２８】
さらにステージ３０Ｔは、ステージ移動機構４７により、集積部３０内部において穿設された上下方向に沿う摺動溝４９の内部を、ステージ３０Ｔから突出するピン３０ＴＰが摺動するように、上下方向へ移動する。また集積部３０の上面には、集積空間３０Ｓに相当する範囲に渡り、上下方向に貫通する集積孔３０Ｈが穿設されている。集積孔３０Ｈにおける前後方向の長さは、ステージ３０Ｔにおける前後方向の長さよりも僅かに長くなっている。この集積孔３０Ｈは、収納筐体１８の上面も貫通しており、集積空間３０Ｓと収納筐体１８よりも上側の空間とを連通させている。このため集積部３０は、ステージ３０Ｔに紙幣束を載置した状態で該ステージ３０Ｔを上方へ移動させることにより、該ステージ３０Ｔ及び紙幣束を収納筐体１８の上面よりも上側まで持ち上げる。
【００２９】
収納筐体１８における、後述する束搬送筐体４０内の上搬送ベルト４２よりも下側部分の後ろ寄りには、可動搬送ガイド３８が設けられている。この可動搬送ガイド３８は、その下面が集積部３０の上部ガイドを形成し、その上面が束搬送路１４Ｙの下側の搬送ガイドを形成している。また可動搬送ガイド３８は、可動搬送ガイド移動機構４８により、前後方向へ移動する。可動搬送ガイド３８は、板状であり下面が前後方向に沿った平坦面である搬送ガイド板状部３８Ｐと、該搬送ガイド板状部３８Ｐの後端の下面に設けられたガイドリブ３８Ｒ（詳細は後述する）とを有している。
【００３０】
集積部３０内部におけるステージ３０Ｔの後方には、モータ５０が設けられている。モータ５０は、制御部１６の制御に基づき、ギア５１を図２に示す時計回り及び反時計回りに回転させる。集積部３０内部には、ステージ３０Ｔを上下方向へ移動させるステージ移動機構４７と、可動搬送ガイド３８を前後方向へ移動させる可動搬送ガイド移動機構４８とが設けられている。
【００３１】
ステージ移動機構４７は、モータ５０、ギア５２及びアーム５３により構成されている。ギア５２は、モータ５０の下方においてギア５１と噛み合うように回転可能に設けられている。アーム５３は棒状であり、ギア５２に接続されている。アーム５３は、後端がギア５２に、前端がステージ３０Ｔのピン３０ＴＰに接続されており、ギア５２の回転に伴って回動することによりステージ３０Ｔを昇降させる。
【００３２】
駆動伝達機構としての可動搬送ガイド移動機構４８は、モータ５０、ギア５１、ギア５４及びトルクリミッタギア５５により構成されている。ギア５４は、モータ５０の後方においてギア５１と噛み合うように回転可能に設けられている。トルクリミッタギア５５は、ギア５４の上方においてギア５４と噛み合うように回転可能に設けられている。このトルクリミッタギア５５は、可動搬送ガイド３８の下面に形成された図示しないラックと噛み合っており、回転することにより、可動搬送ガイド３８を前後方向に移動させる。またこのトルクリミッタギア５５は、一定負荷以上のトルクが加わると空転することにより、駆動力を伝達させないようにする。このためトルクリミッタギア５５は、可動搬送ガイド３８に対して大きな負荷が加わった場合、トルクリミッタギア５５が滑りモータ５０の駆動を伝わらないようにすることにより、それ以上の可動搬送ガイド３８の前後方向の移動が行われないようにする。
【００３３】
このようにステージ移動機構４７及び可動搬送ガイド移動機構４８は、同一の駆動源であるモータ５０により駆動し、それぞれステージ３０Ｔ及び可動搬送ガイド３８を移動させる。このためステージ３０Ｔと可動搬送ガイド３８とは連動し、ステージ３０Ｔの上昇に伴い可動搬送ガイド３８は後方へ移動し、ステージ３０Ｔの下降に伴い可動搬送ガイド３８は前方へ移動する。以下では、ステージ３０Ｔを上昇させると共に可動搬送ガイド３８を後方へ移動させる際におけるモータ５０の回転方向をステージ上昇回転方向とも呼び、ステージ３０Ｔを下降させると共に可動搬送ガイド３８を前方へ移動させる際におけるモータ５０の回転方向をステージ下降回転方向とも呼ぶ。
【００３４】
かかる構成において、ステージ上昇動作において紙幣出金機１０は、制御部１６の制御に基づき、モータ５０がギア５１をステージ上昇回転方向に回転させると、ギア５２及びアーム５３を介し駆動力を伝達させステージ３０Ｔを上方に移動させると共に、ギア５４及びトルクリミッタギア５５を介し駆動力を伝達させ可動搬送ガイド３８を後方へ移動させる。
【００３５】
一方、ステージ下降動作において紙幣出金機１０は、制御部１６の制御に基づき、モータ５０がギア５１をステージ下降回転方向に回転させると、ギア５２及びアーム５３を介し駆動力を伝達させステージ３０Ｔを下方に移動させると共に、ギア５４及びトルクリミッタギア５５を介し駆動力を伝達させ可動搬送ガイド３８を前方へ移動させる。
【００３６】
集積部３０内部において、図７に示す紙幣集積状態において最も下方に位置しているステージ３０Ｔの近傍には、ステージダウンセンサ５６が設けられている。ステージダウンセンサ５６は、例えば、光を出射する発光部と、該光を受光する受光部とにより構成されており、発光部からの光が遮光されたことを受光部で検出し、検出結果を制御部１６へ送出する。具体的にステージダウンセンサ５６は、ステージ３０Ｔに設けられた図示しないディテクタが光軸を遮っていないときは受光部が発光部からの光を受光している明状態としてＯＦＦ状態を検出する一方、ステージ３０Ｔに設けられたディテクタが光軸を遮っているときは受光部が発光部からの光を受光していない暗状態としてＯＮ状態を検出する。制御部１６は、ステージダウンセンサ５６の検出結果に基づいて、ステージ３０Ｔが紙幣集積状態の位置にあるか否かを検出する。
【００３７】
また集積部３０内部において、図８に示す紙幣受渡状態において最も上方に位置しているステージ３０Ｔの近傍には、ステージアップセンサ５７が設けられている。ステージアップセンサ５７は、ステージダウンセンサ５６と同様に構成されており、検出結果を制御部１６へ送出する。制御部１６は、ステージアップセンサ５７の検出結果に基づいて、ステージ３０Ｔが紙幣受渡状態の位置にあるか否かを検出する。
【００３８】
リジェクトカセット３２は、収納筐体１８内における最も上側の後側に位置しており、搬送部２２から搬送されたリジェクト紙幣と、束搬送ユニット１４から搬送されて落下した取忘れ紙幣束とを内部に収納する。またリジェクトカセット３２の上面には、上下方向に貫通する取込孔３２Ｈが穿設されている。この取込孔３２Ｈは、収納筐体１８の上面も貫通しており、リジェクトカセット３２内部の空間と収納筐体１８よりも上側の空間とを連通させている。
【００３９】
リジェクトカセット３２は、直方体状のフレームである回収庫装填フレームとしてのリジェクトカセットフレーム３３を介し収納筐体１８に取り付けられる。リジェクトカセット３２は、収納筐体１８のリジェクトカセットフレーム３３に対し後方向へ引き抜かれることにより、該収納筐体１８から取り外され、また該収納筐体１８のリジェクトカセットフレーム３３に対し位置を合わされ前方向へ押し込まれることにより、該収納筐体１８に装着される。すなわちリジェクトカセット３２は、収納筐体１８の後面から着脱可能に構成されている。
【００４０】
リジェクトカセット３２は、図３に示すリジェクトカセット筐体３２Ｆの内部に、リジェクト紙幣を取り込むリジェクト庫５８と、取忘れ紙幣束を取り込む収納空間５９ＳＳが形成されたリトラクト庫５９とを有している。またリジェクトカセット筐体３２Ｆは、全体的として周囲が閉塞された直方体状に形成されており、上面が前後方向に沿った平坦面となっており、上面における中央よりも前側に、取込孔３２Ｈが形成されている。またこのリジェクトカセット筐体３２Ｆの内部には、取込孔３２Ｈと、該取込孔３２Ｈの後下方に位置する、リジェクト庫５８の収納空間５９ＳＳとを結ぶ内側面として、斜め方向に沿った案内空間５９ＧＳが形成されている。この案内空間５９ＧＳの前下側には、傾斜面５９ＩＳが形成されている。この傾斜面５９ＩＳは、リジェクトカセット筐体３２Ｆの上面に対して後側を下降させるよう傾斜された平面である。
【００４１】
さらにリジェクトカセット筐体３２Ｆの上面近傍には、図示しないシャッタが設けられている。シャッタは、上下方向に薄い板状に形成されており、前後方向及び左右方向の長さが取込孔３２Ｈよりもそれぞれ大きくなっている。このシャッタは、前後方向へ移動可能に構成されており、前方へ移動された場合には取込孔３２Ｈを閉塞し、後方へ移動された場合には取込孔３２Ｈを開放する。
【００４２】
束搬送ユニット１４における、リトラクト庫５９の取込孔３２Ｈの近傍には、フルセンサ６０が設けられている。残留紙幣検知センサとしてのフルセンサ６０は、例えば、束搬送ユニット１４に設けられ光を出射する発光部と、束搬送ユニット１４に設けられ該光を受光する受光部と、リトラクト庫５９に設けられ発光部から出射された光を反射し受光部へ照射させるプリズムとにより構成されており、発光部からの光が遮光されたことを受光部で検出し、検出結果を制御部１６へ送出する。制御部１６はフルセンサ６０の検出結果に基づいて紙幣の存在を検出する。具体的にフルセンサ６０は、取忘れ紙幣束が取込孔３２Ｈ近傍に残留していない場合において取忘れ紙幣束が光軸を遮っていないときは受光部が発光部からの光を受光している明状態としてＯＦＦ状態を検出する一方、取忘れ紙幣束がリジェクトカセット３２から溢れて取込孔３２Ｈ近傍に残留している場合において取忘れ紙幣束が光軸を遮っているときは受光部が発光部からの光を受光していない暗状態としてＯＮ状態を検出する。制御部１６は、フルセンサ６０の検出結果に基づいて、リジェクトカセット３２から溢れて取込孔３２Ｈ近傍に紙幣が残留しているか否かを検出する。以下では、紙幣出金機１０において取り扱われる紙幣のうち、搬送方向に沿う短辺方向の長さが最も短い紙幣を、最小短辺方向長さ紙幣とも呼び、該最小短辺方向長さ紙幣における、短辺方向に沿った長さを紙幣最小搬送方向長さとも呼ぶ。
【００４３】
フルセンサ６０の光軸は、リジェクトカセット３２の上面からリトラクト庫５９の内部（すなわち下方）へ、紙幣最小搬送方向長さよりも短い距離である図７に示すセンサ距離Ｄ１だけ向かった位置に配置されている。これにより、リジェクトカセット３２の上面から取忘れ紙幣束がはみ出ると、該取忘れ紙幣束がフルセンサ６０の光軸を遮ることとなり、フルセンサ６０がＯＮ状態となる。より具体的には、取込孔３２Ｈから外部の束搬送路１４Ｙ側に取忘れ紙幣束がはみ出した状態のときに、取忘れ紙幣束がフルセンサ６０の光軸を遮るようになっている。
【００４４】
束搬送路１４Ｙ内部において、図８に示す紙幣受渡状態において最も後方に位置している（以下では可動搬送ガイド後方状態とも呼ぶ）可動搬送ガイド３８の後端近傍には、可動ガイドクローズセンサ６１が設けられている。可動ガイド検出センサとしての可動ガイドクローズセンサ６１は、ステージダウンセンサ５６と同様に構成されており、検出結果を制御部１６へ送出する。制御部１６は、可動ガイドクローズセンサ６１の検出結果に基づいて、可動ガイドクローズセンサ６１が可動搬送ガイド後方状態の位置にあるか否かを検出する。
【００４５】
［１−４．束搬送ユニットの構成］
束搬送ユニット１４は、全体として、上下方向に短く前後方向に長い、扁平な直方体状に形成されており、前後方向の長さが収納ユニット１２よりも長くなっている。束搬送ユニット１４は、直方体状の束搬送筐体４０内に、紙幣束を搬送するための種々の機構が設けられている。
【００４６】
束搬送筐体４０内における上側部分には、上搬送ベルト４２が設けられている。上搬送ベルト４２は、後端近傍及び前端近傍にそれぞれ配置されたローラの周囲に掛け回された無端ベルトであり、このローラが回転することにより、その下面を前後方向に沿って走行させる。説明の都合上、以下では、上搬送ベルト４２における下面部分の走行方向を、該上搬送ベルト４２の走行方向と見なす。
【００４７】
束搬送筐体４０内における上搬送ベルト４２よりも下側部分における前側には、出金口搬送ベルト４４が設けられている。出金口搬送ベルト４４は、上搬送ベルト４２を前後方向に切り詰めたような構成となっており、その上面を上搬送ベルト４２の下面と対向させ、前後方向に走行させる。説明の都合上、以下では、出金口搬送ベルト４４における上面部分の走行方向を、該出金口搬送ベルト４４の走行方向と見なす。
【００４８】
束搬送ユニット１４内には、上搬送ベルト４２と、ステージ３０Ｔ、可動搬送ガイド３８及び出金口搬送ベルト４４とにより上下方向から挟まれ水平方向に沿う束搬送路１４Ｙが形成される。
【００４９】
また束搬送ユニット１４内には、押出部４５が設けられている。押出部４５は、その一部を上搬送ベルト４２の下面よりも下方に突出させており、図示しない移動機構により、前後方向に沿って、すなわち束搬送路１４Ｙに沿って移動する。すなわち押出部４５は、出金方向（前方）へ移動することにより紙幣束の束ずれや紙幣残留等を防止しつつ該紙幣束の後端を押す一方、取込方向（後方）へ移動することにより紙幣束の束ずれや紙幣残留等を防止しつつ該紙幣束の前端を押す。このため押出部４５は、束搬送路１４Ｙ内に紙幣束がある場合、これを前後方向へ押して進行させる。
【００５０】
束搬送筐体４０の前端には、束搬送路１４Ｙ内を前方へ搬送されてきた紙幣束を利用者に引き渡す出金機出金口４６が形成されている。
【００５１】
［１−５．噛合部の構成］
図３に示すように可動搬送ガイド３８とリジェクトカセット３２とには、ガイドリブ３８Ｒ及びカセットリブ６３からなる噛合部６２が形成されている。可動搬送ガイド３８にはガイドリブ３８Ｒが設けられている。ガイドリブ３８Ｒは、可動搬送ガイド３８の下面から下方へ突出しており、背面視で左右方向に所定の幅を有する矩形状であり、前後方向に沿った直線状に形成され、左右方向に所定間隔を空けて配置されている。すなわち可動搬送ガイド３８の後端部の下端は、背面視においてガイドリブ３８Ｒが形成されていない部分（以下ではガイドリブ凹部３８ＲＲとも呼ぶ）が可動搬送ガイド３８の下端から上方に凹んだ構成となっている。
【００５２】
ガイドリブ３８Ｒの下端部には、ガイドリブ先端凹凸部３９が形成されている。引掛部としてのガイドリブ先端凹凸部３９は、複数のガイドリブ先端凹部３９Ｒが形成されている。ガイドリブ先端凹部３９Ｒは、ガイドリブ３８Ｒの下端から上方へ凹んでおり、左側面視で前後方向に所定の幅を有する矩形状であり、左右方向に沿った直線状に形成されていることにより、紙幣の前端部が入り込むと引っかかる構造になっている。
【００５３】
一方リジェクトカセット３２にはカセットリブ６３が設けられている。カセットリブ６３は、リジェクトカセット筐体３２Ｆの上面から上方へ突出しており、背面視で左右方向に所定の幅を有する矩形状であり、前後方向に沿った直線状に形成され、左右方向にガイドリブ３８Ｒと同様の間隔を空けて配置されている。すなわちリジェクトカセット３２の上端は、正面視においてカセットリブ６３が形成されていない部分（以下ではカセットリブ凹部６３Ｒとも呼ぶ）が、該リジェクトカセット３２の上端から下方に凹んだ構成となっている。
【００５４】
ガイドリブ３８Ｒの左右方向の幅は、カセットリブ凹部６３Ｒの幅よりも狭く形成されている。またカセットリブ６３の左右方向の幅は、ガイドリブ凹部３８ＲＲの幅よりも狭く形成されている。これによりガイドリブ３８Ｒとカセットリブ６３とは互いに遊嵌しつつ噛合した状態、すなわち上下方向にオーバーラップした状態となっている。
【００５５】
［１−６．表示部の構成］
図４に示すように、リジェクトカセットフレーム３３におけるリジェクトカセット３２の左方には表示部６４Ｅが設けられている。またカセットフレーム３４における、それぞれ第１出金カセット２０Ａの左方には表示部６４Ａが、第２出金カセット２０Ｂの左方には表示部６４Ｂが、第３出金カセット２０Ｃの左方には表示部６４Ｃが、第４出金カセット２０Ｄの左方には表示部６４Ｄが設けられている。以下では表示部６４Ａ、６４Ｂ、６４Ｃ、６４Ｄ及び６４Ｅをまとめて表示部６４とも呼ぶ。
【００５６】
現金自動取引装置１は、表示部６４Ａ、６４Ｂ、６４Ｃ、６４Ｄ及び６４Ｅを、それぞれ第１出金カセット２０Ａ、第２出金カセット２０Ｂ、第３出金カセット２０Ｃ及び第４出金カセット２０Ｄ並びにリジェクトカセット３２の左側、すなわち蝶番２ＢＨから離隔する側に配置することにより、保守員に対し表示部６４を視認させやすくしている。
【００５７】
図５に示すようにそれぞれの表示部６４は、緑色部ＧＣと赤色部ＲＣとが設けられている。緑色部ＧＣは表示部６４における右側に配置された例えばＬＥＤ（light emitting diode）であり、制御部１６の制御に基づき、緑色に点灯又は消灯することにより、出金カセット２０及びリジェクトカセット３２の装着状態を提示する。赤色部ＲＣは表示部６４における左側に配置された例えばＬＥＤであり、制御部１６の制御に基づき、赤色に点灯、点滅又は消灯することにより、紙幣出金機１０における各種状態の警告を提示する。また赤色部ＲＣは、例えば点滅周期０、点滅周期１、点滅周期２又は点滅周期３の４通りの異なる点滅周期で点滅する。
【００５８】
［１−７．紙幣出金機の制御構成］
図６に示すように紙幣出金機１０は、制御基板６５が組み込まれており、この制御基板６５は、インターフェース７１、装置管理部６６、束搬送部６７、紙幣搬送部６８、カセット制御部６９及び表示制御部７０を有しており、制御部１６として機能する。また制御基板６５は、インターフェース７１を介して外部のコンピュータ７２と接続されている。束搬送部６７は、主に束搬送ユニット１４を制御し、可動ガイドクローズセンサ６１等の状態を装置管理部６６へ通知する。紙幣搬送部６８は、主に収納ユニット１２を制御し、ステージアップセンサ５７、ステージダウンセンサ５６、フルセンサ６０及び搬送受渡センサ３１等の状態を装置管理部６６へ通知する。カセット制御部６９は、出金カセット２０を制御する。装置管理部６６は、束搬送部６７、紙幣搬送部６８及びカセット制御部６９の状態を監視して、状態の変化に応じて表示制御部７０へ表示指示を行う。また装置管理部６６は紙幣出金機１０の現在の動作モードが運用モードか又は保守モードであるかを管理する。表示制御部７０は、装置管理部６６からの表示指示に基づき、表示部６４Ａ、６４Ｂ、６４Ｃ、６４Ｄ及び６４Ｅを制御し、表示を変化させる。
【００５９】
［１−８．出金動作］
紙幣出金機１０（図１）は、操作表示部６により利用者から出金の指示及び出金額を受け付けると、出金動作を開始する。具体的に紙幣出金機１０の制御部１６は、出金カセット２０から出金額に応じた金種及び枚数の紙幣を順次繰り出させ、該紙幣の短辺に沿った方向を進行方向として搬送部２２により上方へ搬送し、鑑別部２６により鑑別させる。このとき制御部１６は、鑑別部２６から得られる鑑別結果を基に、紙幣が出金可能であるか否かに応じて、その搬送先を集積部３０又はリジェクトカセット３２に決定する。
【００６０】
続いて制御部１６は、鑑別部２６により鑑別された紙幣を、搬送部２２により上方及び後方へ搬送して切替部２８に到達させる。切替部２８は、制御部１６の制御に基づき、紙幣それぞれについて決定された搬送先に応じて進行方向を切り替え、集積部３０又はリジェクトカセット３２へ進行させる。リジェクトカセット３２は、切替部２８から搬送されてきた紙幣（すなわちリジェクト紙幣）を所定の通過孔から内部に取り込み、放出部によりリジェクト庫５８内へ放出して集積させる。
【００６１】
一方集積部３０は、搬送されてきた紙幣を放出部３０Ｊにより集積空間３０Ｓ内へ放出し、ステージ３０Ｔ上に集積させる。制御部１６は、搬送先を集積部３０とした紙幣、すなわち集積部３０に集積した紙幣の金種及び枚数を逐次集計しており、集計した金額が出金額に到達した段階で、出金カセット２０からの紙幣の繰出を中止する。この結果、図７に示すように集積部３０のステージ３０Ｔ上には、出金額の紙幣が束状に集積された紙幣束Ｗが載置される。このときステージ３０Ｔは最下部に位置し、可動搬送ガイド３８は最前部に位置している。このときそれぞれステージダウンセンサ５６はＯＮ状態、ステージアップセンサ５７はＯＦＦ状態、可動ガイドクローズセンサ６１はＯＦＦ状態となっている。
【００６２】
次に制御部１６は、モータ５０をステージ上昇回転方向へ回転させることにより、図８に示すように可動搬送ガイド３８を後方へ移動させ、集積部３０の集積孔３０Ｈを開放すると共に取込孔３２Ｈを閉塞させる。また制御部１６は、可動搬送ガイド３８の移動と共にステージ３０Ｔを上方へ移動させることにより、紙幣束Ｗを持ち上げて束搬送路１４Ｙ内に位置させる。このとき可動搬送ガイド３８とステージ３０Ｔとの上面がほぼ面一になっている。このときステージ３０Ｔは最上部に位置し、可動搬送ガイド３８は最後部に位置している。このときそれぞれステージダウンセンサ５６はＯＦＦ状態、ステージアップセンサ５７はＯＮ状態、可動ガイドクローズセンサ６１はＯＮ状態となっている。
【００６３】
さらに制御部１６は、上搬送ベルト４２を前方へ走行させると共に押出部４５を前方へ移動させることにより、紙幣束Ｗを束搬送路１４Ｙに沿って前方へ進行させていく。このとき制御部１６は、紙幣束Ｗが出金口搬送ベルト４４の上面に当接する位置に到達すると、上搬送ベルト４２及び該出金口搬送ベルト４４により該紙幣束Ｗを上下から挟持し、両ベルトの走行により前方へ搬送させる。
【００６４】
やがて制御部１６は、図示しないセンサからの通知を基に紙幣束Ｗが出金機出金口４６に到達したことを検知すると、上搬送ベルト４２及び出金口搬送ベルト４４の走行を停止させる。さらに制御部１６は、押出部４５を束搬送路１４Ｙの前端近傍へ到達させることにより、退避機構（図示せず）によって束搬送路１４Ｙの上方に退避させる。
【００６５】
このように制御部１６は、図９に示すように出金機出金口４６から紙幣束Ｗの一部を露出させ、且つ上搬送ベルト４２及び出金口搬送ベルト４４により該紙幣束Ｗの後端近傍を挟持した状態として、出金動作を終了する。これにより紙幣出金機１０は、利用者にこの紙幣束Ｗを取り出させることができる。
【００６６】
［１−９．取込動作］
ここで制御部１６は、センサ（図示せず）からの通知を基に、出金機出金口４６から紙幣束Ｗが取り出されたか否かを監視している。そこで所定の待機時間（例えば３０秒間）が経過しても紙幣束Ｗが取り出されなかった場合、制御部１６は、紙幣束Ｗの取り忘れが発生したものと見なし、この紙幣束Ｗを取り込む取込動作を開始する。以下ではこのように利用者が取り忘れた紙幣を取忘れ紙幣若しくはリトラクト紙幣とも呼ぶ。
【００６７】
具体的に制御部１６は、押出部４５を上方へ退避させた状態のまま上搬送ベルト４２及び出金口搬送ベルト４４を後方へ走行させることにより、図１０に示すように取忘れ紙幣束Ｗｒを束搬送路１４Ｙ内に取り込む。
【００６８】
続いて制御部１６は、モータ５０をステージ下降回転方向へ回転させることにより、図１１に示すように可動搬送ガイド３８を後方へ移動させ、集積部３０の集積孔３０Ｈを閉塞させると共に取込孔３２Ｈを開放させる。また制御部１６は、可動搬送ガイド３８の移動と共にステージ３０Ｔを下方へ移動させる。このときステージ３０Ｔは最下部に位置し、可動搬送ガイド３８は最前部に位置している。このときそれぞれステージダウンセンサ５６はＯＮ状態、ステージアップセンサ５７はＯＦＦ状態、可動ガイドクローズセンサ６１はＯＦＦ状態となっている。
【００６９】
続いて制御部１６は、上搬送ベルト４２及び出金口搬送ベルト４４を後方へ走行させることにより、取忘れ紙幣束Ｗｒを束搬送路１４Ｙに沿って後方へ進行させていく。このとき制御部１６は、図示しないセンサにより取忘れ紙幣束Ｗｒが押出部４５よりも後方に到達したことを検知すると、該押出部４５を前方へ移動させ取忘れ紙幣束Ｗｒの前側で束搬送路１４Ｙ内へ復帰させてから、さらに後方へ移動させることにより、取忘れ紙幣束Ｗｒの後方への搬送を補助する。
【００７０】
やがて制御部１６は、取忘れ紙幣束Ｗｒが取込孔３２Ｈの上方に到達すると、図１２に示すようにこの取忘れ紙幣束Ｗｒを束搬送路１４Ｙから落下させる。これにより取忘れ紙幣束Ｗｒは、束搬送路１４Ｙから僅かに下方へ下降した段階で、取込孔３２Ｈからリジェクトカセット３２内へ入り込む。リジェクトカセット３２内において取忘れ紙幣束Ｗｒは、その下面を傾斜面５９ＩＳに当接させて摺動しながら、案内空間５９ＧＳ内を後下方へ下降し、やがて収納空間５９ＳＳに到達すると収納される。
【００７１】
このようにリジェクトカセット３２は、リジェクト紙幣をリジェクト庫５８に収納すると共に、利用者が取り忘れた紙幣束Ｗ（すなわち取忘れ紙幣束Ｗｒ）を取込孔３２Ｈから取り込み、案内空間５９ＧＳ内を傾斜面５９ＩＳに沿って下降させ収納空間５９ＳＳに到達させて収納する。
【００７２】
［１−１０．紙幣残留確認動作］
続いて制御部１６は、リジェクトカセット３２から溢れて取込孔３２Ｈ近傍に取忘れ紙幣束Ｗｒが残留しているか否かの確認を開始する。以下ではリトラクト庫５９から外部に溢れた取忘れ紙幣束Ｗｒ又は紙幣を残留紙幣とも呼ぶ。
【００７３】
具体的に制御部１６は、モータ５０をステージ上昇回転方向へ回転させることにより、図１３に示すように可動搬送ガイド３８を後方へ移動させ、集積部３０の集積孔３０Ｈを開放すると共に取込孔３２Ｈを閉塞させる。また制御部１６は、可動搬送ガイド３８の移動と共にステージ３０Ｔを上方へ移動させる。このときステージ３０Ｔは最上部に位置し、可動搬送ガイド３８は最後部に位置している。このときそれぞれステージダウンセンサ５６はＯＦＦ状態、ステージアップセンサ５７はＯＮ状態、可動ガイドクローズセンサ６１はＯＮ状態となっている。紙幣残留確認動作を終了すると、制御部１６は、モータ５０をステージ下降回転方向へ回転させることにより、図７に示した状態に戻る。
【００７４】
ここで、リジェクトカセット３２の上面よりも上方へリトラクト庫５９内部の取忘れ紙幣束Ｗｒの一部分が露出した状態、すなわち、リトラクト庫５９から取忘れ紙幣束Ｗｒが束搬送路１４Ｙ側に溢れた状態を図１４に示す。この状態においては、リジェクトカセット３２の上面の取込孔３２Ｈと、可動搬送ガイド３８の搬送ガイド板状部３８Ｐの下面との隙間である受け渡し部に、取忘れ紙幣束Ｗｒが残留した状態となることがある。
【００７５】
［１−１１．紙幣残留確認動作において紙幣束を押し込める場合］
そのような状態において紙幣残留確認動作が行われ、可動搬送ガイド３８が後方へ移動すると、リジェクトカセット３２から溢れた取忘れ紙幣束Ｗｒの前端部に可動搬送ガイド３８のガイドリブ３８Ｒが当接する。さらに可動搬送ガイド３８が後方へ移動すると、可動搬送ガイド３８は、リジェクトカセット３２から溢れた取忘れ紙幣束Ｗｒを図１５に示すようにリトラクト庫５９内部へ押し込む。このように紙幣出金機１０は、ガイドリブ３８Ｒとカセットリブ６３とを噛合した状態とすることにより、リジェクトカセット３２の上面と、可動搬送ガイド３８の搬送ガイド板状部３８Ｐの下面との隙間を、左右方向の一端側から他端側までに渡って離散的に埋めることができる。これにより紙幣出金機１０は、リトラクト庫５９から取忘れ紙幣束Ｗｒが束搬送路１４Ｙ側に溢れ、リジェクトカセット３２の上面と、可動搬送ガイド３８の搬送ガイド板状部３８Ｐの下面との隙間に、取忘れ紙幣束Ｗｒが残留したとしても、該取忘れ紙幣束Ｗｒを可動搬送ガイド３８のガイドリブ３８Ｒでリトラクト庫５９内部へ押し込むことができる。
【００７６】
また紙幣出金機１０は、ガイドリブ３８Ｒの下端部にガイドリブ先端凹凸部３９を設けるようにした。このため紙幣出金機１０は、可動搬送ガイド３８を後方へ移動させる際に、ガイドリブ先端凹部３９Ｒに取忘れ紙幣束Ｗｒの前端部を引っ掛け、より一層リトラクト庫５９内部へ押し込みやすくすることができる。
【００７７】
［１−１２．紙幣残留確認動作において紙幣束を押し込めない場合］
一方、リトラクト庫５９から取忘れ紙幣束Ｗｒが束搬送路１４Ｙ側に溢れた状態で紙幣残留確認動作が行われた場合において、可動搬送ガイド３８が後方へ移動してガイドリブ３８Ｒにより取忘れ紙幣束Ｗｒをリトラクト庫５９内部へ押し込もうとしても、図１６に示すように可動搬送ガイド３８と取忘れ紙幣束Ｗｒとが干渉して押し込みきれずに、可動搬送ガイド３８がそれ以上後方へ移動できない場合がある。そのような状態においては、トルクリミッタギア５５が空転することにより、可動搬送ガイド３８の後方への移動が停止する。これにより紙幣出金機１０は、可動搬送ガイド３８が強引に後方へ移動してしまい、取忘れ紙幣束Ｗｒに対し、該取忘れ紙幣束Ｗｒが破れてしまうような負荷を発生されてしまうことを防止し、紙幣の破損を防ぐことができる。
【００７８】
ここで制御部１６は、紙幣残留確認動作を図１２に示した状態から開始してから、所定時間以内に可動ガイドクローズセンサ６１がＯＮ状態となったか否かを監視している。そこで所定時間が経過しても可動ガイドクローズセンサ６１がＯＮ状態とならなかった場合、制御部１６は、可動搬送ガイド３８が取忘れ紙幣束Ｗｒに引っ掛かり、それ以上後方へ移動できなくなっていると見なし、紙幣出金機１０の動作を、エラー状態として停止させる。
【００７９】
また制御部１６は、紙幣出金機１０がエラー状態で停止した際に、フルセンサ６０の状態を確認し、ＯＮ状態である場合、リトラクト庫５９からはみ出している取忘れ紙幣束Ｗｒが存在すると判断する。このとき制御部１６は、表示部６４Ｅの赤色部ＲＣを点滅周期２で点滅させる。
【００８０】
このように紙幣出金機１０は、可動搬送ガイド３８が取忘れ紙幣束Ｗｒに引っ掛かりそれ以上後方へ移動できなくなっていると検出した場合、紙幣出金機１０の動作をエラー状態として停止させると共に、表示部６４Ｅに表示を行うようにした。これにより紙幣出金機１０は、リトラクト庫５９から取忘れ紙幣束Ｗｒが溢れてしまったことと、該取忘れ紙幣束Ｗｒを除去することとを、保守員に通知できる。
【００８１】
［１−１３．表示処理手順］
次に、制御部１６による表示処理の具体的な処理手順について、図１７のフローチャートを用いて説明する。紙幣出金機１０の電源が投入されると制御部１６は、ＲＯＭ（図示せず）から表示処理プログラムを読み出して実行することにより表示処理手順ＲＴ１を開始し、ステップＳＰ１へ移り、図１８に示す第１出金カセット装着状態表示処理手順ＳＲＴ１のステップＳＰ２１へ移る。
【００８２】
ステップＳＰ２１において制御部１６は、第１出金カセット２０Ａが装着状態か否かを判定し、ここで肯定結果が得られると、このことは第１出金カセット２０Ａが装着状態であることを示し、このとき制御部１６はステップＳＰ２２へ移る。ステップＳＰ２２において制御部１６は、第１出金カセット２０Ａの表示部６４Ａの緑色部ＧＣを点灯させ、ステップＳＰ２４へ移り第１出金カセット装着状態表示処理手順ＳＲＴ１を終了する。一方ステップＳＰ２１において否定結果が得られると、このことは第１出金カセット２０Ａが装着状態ではないことを示し、このとき制御部１６はステップＳＰ２３へ移る。ステップＳＰ２３において制御部１６は、第１出金カセット２０Ａの表示部６４Ａを消灯させ、ステップＳＰ２４へ移り第１出金カセット装着状態表示処理手順ＳＲＴ１を終了する。第１出金カセット装着状態表示処理手順ＳＲＴ１を終了すると制御部１６は、表示処理手順ＲＴ１（図１７）におけるステップＳＰ２へ移り、第２出金カセット装着状態表示処理手順ＳＲＴ２（図１８）のステップＳＰ２１へ移る。
【００８３】
制御部１６は、上述したステップＳＰ２１〜ステップＳＰ２４を実行することにより、第１出金カセット２０Ａの場合と同様に第２出金カセット２０Ｂの表示部６４Ｂの緑色部ＧＣを点灯させるか又は消灯させ、第２出金カセット装着状態表示処理手順ＳＲＴ２を終了し、表示処理手順ＲＴ１（図１７）におけるステップＳＰ３へ移り、第３出金カセット装着状態表示処理手順ＳＲＴ３（図１８）のステップＳＰ２１へ移る。
【００８４】
制御部１６は、上述したステップＳＰ２１〜ステップＳＰ２４を実行することにより、第１出金カセット２０Ａの場合と同様に第３出金カセット２０Ｃの表示部６４Ｃの緑色部ＧＣを点灯させるか又は消灯させ、第３出金カセット装着状態表示処理手順ＳＲＴ３を終了し、表示処理手順ＲＴ１（図１７）におけるステップＳＰ４へ移り、第４出金カセット装着状態表示処理手順ＳＲＴ４（図１８）のステップＳＰ２１へ移る。
【００８５】
制御部１６は、上述したステップＳＰ２１〜ステップＳＰ２４を実行することにより、第１出金カセット２０Ａの場合と同様に第４出金カセット２０Ｄの表示部６４Ｄの緑色部ＧＣを点灯させるか又は消灯させ、第４出金カセット装着状態表示処理手順ＳＲＴ４を終了し、表示処理手順ＲＴ１（図１７）におけるステップＳＰ５へ移り、リジェクトカセット装着状態表示処理手順ＳＲＴ５（図１８）のステップＳＰ２１へ移る。
【００８６】
制御部１６は、上述したステップＳＰ２１〜ステップＳＰ２４を実行することにより、第１出金カセット２０Ａの場合と同様にリジェクトカセット３２の表示部６４Ｅの緑色部ＧＣを点灯させるか又は消灯させ、リジェクトカセット装着状態表示処理手順ＳＲＴ５を終了し、表示処理手順ＲＴ１（図１７）におけるステップＳＰ６へ移る。
【００８７】
ステップＳＰ６において制御部１６は、紙幣出金機１０のアクチュエータが動作中（すなわち紙幣出金機１０が動作中）か否かを判定し、ここで肯定結果が得られると制御部１６はステップＳＰ７へ移る。ステップＳＰ７において制御部１６は、第１出金カセット２０Ａの表示部６４Ａ、第２出金カセット２０Ｂの表示部６４Ｂ、第３出金カセット２０Ｃの表示部６４Ｃ、第４出金カセット２０Ｄの表示部６４Ｄ及びリジェクトカセット３２の表示部６４Ｅ、すなわち全ての表示部６４の赤色部ＲＣを点灯させることにより、保守員に対して紙幣出金機１０のアクチュエータが動作中であるため危険であること伝えるべく、安全のための警告表示を行い、ステップＳＰ１へ戻る。
【００８８】
一方ステップＳＰ６において否定結果が得られると、このことはアクチュエータが停止中であることを示し、このとき制御部１６はステップＳＰ８へ移る。ステップＳＰ８において制御部１６は、各出金カセット２０のカセット繰出口３７に紙幣が残留しているか否かを、搬送受渡センサ３１が暗状態であるか否かを確認することにより判定し、ここで肯定結果が得られると、このことはカセット繰出口３７に紙幣が残留していることを示し、このとき制御部１６はステップＳＰ９へ移る。ステップＳＰ９において制御部１６は、紙幣が残留している出金カセット２０の表示部６４の赤色部ＲＣを点滅周期０で点滅させ、ステップＳＰ１１へ移る。
【００８９】
一方ステップＳＰ８において否定結果が得られると、このことはカセット繰出口３７に紙幣が残留していないことを示し、このとき制御部１６はステップＳＰ１０へ移る。ステップＳＰ１０において制御部１６は、紙幣が残留していない出金カセット２０の表示部６４の赤色部ＲＣを消灯させ、ステップＳＰ１１へ移る。ここで制御部１６は、赤色部ＲＣが点灯していない状態でステップＳＰ１０に達した場合、赤色部ＲＣはそもそも消灯しているため、ステップＳＰ１０をスキップしてステップＳＰ１１へ移る。一方制御部１６は、アクチュエータが動作中であるためステップＳＰ７において赤色部ＲＣが点灯した状態になった後に、次の表示処理手順ＲＴ１の周期においてステップＳＰ６及びステップＳＰ８を経てステップＳＰ１０に達した場合、赤色部ＲＣを消灯させ、ステップＳＰ１１へ移る。
【００９０】
ステップＳＰ１１において制御部１６は、紙幣出金機１０の現在の動作モードを判定し、保守モードと判定した場合、ステップＳＰ１２へ移る。ステップＳＰ１２において制御部１６は、リジェクトカセット３２の表示部６４Ｅの赤色部ＲＣを点滅周期１で点滅させ、ステップＳＰ１へ戻る。
【００９１】
一方ステップＳＰ１１において運用モードと判定した場合、制御部１６はステップＳＰ１３へ移る。ステップＳＰ１３において制御部１６は、リジェクトカセット３２（すなわちリトラクト庫５９）の容量を判定し、ニアフル状態であると判定した場合、ステップＳＰ１４へ移る。ステップＳＰ１４において制御部１６は、リジェクトカセット３２の表示部６４Ｅの赤色部ＲＣを点滅周期２で点滅させ、ステップＳＰ１へ戻る。
【００９２】
ここで制御部１６は、リトラクト庫５９に取り込んだ紙幣の枚数によりニアフル状態又はフル状態を判定する。具体的には、取り忘れ紙幣の枚数と出金紙幣の枚数とは等しいため、制御部１６は、リトラクト庫５９に取り込む紙幣の枚数を把握している。制御部１６は、紙幣束がフルセンサ６０の光軸を遮ったタイミングで、リトラクト庫５９に収納されている紙幣の枚数をカウント（すなわち加算）していき、その紙幣の枚数がニアフル判定用の所定枚数に達するとニアフル状態であると判定し、ニアフル状態からさらにフル判定用の所定枚数に達するとフル状態であると判定する。
【００９３】
さらに制御部１６は、傾斜面５９ＩＳを紙幣束が下降している場合、紙幣束はフルセンサ６０を通過する際に一瞬だけＯＮ状態にするだけであるため、フルセンサ６０がＯＦＦ状態のままの状態が所定時間以上継続した場合も、フル状態であると判定する。
【００９４】
またさらに制御部１６は、リトラクト庫５９の容量がフル状態ではない場合に、リトラクト庫５９に集積するはずの取忘れ紙幣束Ｗｒが集積できず取込孔３２Ｈ近傍に存在するとき、本来はステージ３０Ｔを最上部位置に移動すると可動搬送ガイド３８が取込孔３２Ｈを閉塞させようとするが、取忘れ紙幣束Ｗｒが邪魔をしてステージ３０Ｔを最上部位置まで移動させることができない。このとき、可動搬送ガイド３８も中途半端な位置で停止して可動ガイドクローズセンサ６１がＯＮ状態とならない。この状態が発生したときは、制御部１６は、リトラクト庫５９がフル状態であると間接的に判断する。
【００９５】
一方ステップＳＰ１３においてフル状態であると判定した場合、制御部１６はステップＳＰ１５へ移る。ステップＳＰ１５において制御部１６は、ステップＳＰ１４と同様にリジェクトカセット３２の表示部６４Ｅの赤色部ＲＣを点滅周期２で点滅させ、ステップＳＰ１へ戻る。
【００９６】
一方ステップＳＰ１３においてニアフル状態でもフル状態でもないと判定した場合、制御部１６はステップＳＰ１６へ移る。ステップＳＰ１６において制御部１６は、リジェクトカセット３２の表示部６４Ｅの赤色部ＲＣを消灯させ、ステップＳＰ１へ戻る。
【００９７】
［１−１４．効果等］
以上の構成において紙幣出金機１０は、リジェクトカセット３２の上面に形成されたカセットリブ６３とオーバーラップする押込部リブとしてのガイドリブ３８Ｒを可動搬送ガイド３８に設け、取込孔３２Ｈを閉塞させるよう可動搬送ガイド３８を移動させる際に、取込孔３２Ｈからはみ出した取忘れ紙幣束Ｗｒをガイドリブ３８Ｒで収納空間５９ＳＳへ押し込むようにした。このため紙幣出金機１０は、リトラクト庫５９から溢れた取忘れ紙幣束Ｗｒを、可動搬送ガイド３８を移動させるだけで、リトラクト庫５９内部へ押し込むことができ、取忘れ紙幣束Ｗｒが可動搬送ガイド３８とリトラクト庫５９との間に残留してしまうことを防止できる。
【００９８】
また紙幣出金機１０は、ガイドリブ３８Ｒの先端である下端部に、凹凸形状のガイドリブ先端凹凸部３９を形成するようにした。これにより紙幣出金機１０は、取忘れ紙幣束Ｗｒの前端部をガイドリブ先端凹凸部３９に引っ掛けつつガイドリブ３８Ｒで取忘れ紙幣束Ｗｒを押すことができるため、より一層取忘れ紙幣束Ｗｒをリトラクト庫５９内部へ押し込むことができる。
【００９９】
さらに紙幣出金機１０は、取込孔３２Ｈを閉塞させる方向へ可動搬送ガイド３８を移動させてから所定時間以内に可動ガイドクローズセンサ６１が可動搬送ガイド３８を検出できなかった場合、取込孔３２Ｈからはみ出した取忘れ紙幣束Ｗｒをガイドリブ３８Ｒが押し込みきれなかったと判定し、表示部６４に表示させることで保守員に通知するようにした。これにより紙幣出金機１０は、取忘れ紙幣束Ｗｒがリトラクト庫５９の取込孔３２Ｈ付近で詰まっていることを検出できると共に、該取忘れ紙幣束Ｗｒを保守員に取り除かせることができる。
【０１００】
さらに紙幣出金機１０は、可動搬送ガイド３８の移動時に一定負荷以上の負荷が可動搬送ガイド３８に加わった際に、可動搬送ガイド移動機構４８のトルクリミッタギア５５を空転させることにより、可動搬送ガイド３８の後方への移動を停止させるようにした。これにより紙幣出金機１０は、可動搬送ガイド３８が強引に後方へ移動してしまい、取忘れ紙幣束Ｗｒに対し、該取忘れ紙幣束Ｗｒが破れてしまうような負荷を発生されてしまうことを防止し、紙幣の破損を防ぐことができる。
【０１０１】
さらに紙幣出金機１０は、フルセンサ６０の光軸を紙幣最小搬送方向長さよりも短い長さだけリジェクトカセット３２の上面から内部へ離れた位置に配置するようにした。これにより紙幣出金機１０は、リジェクトカセット３２の上面からはみ出している紙幣を検出できる。
【０１０２】
さらに紙幣出金機１０は、カセットフレーム３４における出金カセット２０の近傍に出金カセット２０の状態を通知する表示部６４を、リジェクトカセットフレーム３３におけるリジェクトカセット３２の近傍に、リトラクト庫５９の状態を通知する表示部６４を設けるようにした。これにより紙幣出金機１０は、取込孔３２Ｈ又はカセット繰出口３７付近に紙幣が存在している場合、紙幣を除去することを保守員に提示することができ、取込孔３２Ｈ又はカセット繰出口３７付近に紙幣が残留してしまうことを防止できる。
【０１０３】
このため紙幣出金機１０は、取込孔３２Ｈ又はカセット繰出口３７付近に紙幣が残留したままリジェクトカセット３２又は出金カセット２０が紙幣出金機１０から引き抜かれてしまい、紙幣が破れたり、紙幣出金機１０が破損したりしてしまうことを防止できる。
【０１０４】
また紙幣出金機１０は、表示部６４を、出金カセット２０及びリトラクト庫５９ではなく、カセットフレーム３４又はリジェクトカセットフレーム３３における、出金カセット２０及びリトラクト庫５９の近傍に設けるようにした。このため紙幣出金機１０は、出金カセット２０及びリトラクト庫５９が装填されていなくても、装着状態以外の情報である、紙幣出金機１０の動作状態（アクチュエータが動作中か否か）や、動作モードや、紙幣の残留状態等を保守員に通知できる。
【０１０５】
以上の構成によれば紙幣出金機１０は、紙幣が収納される出金カセット２０と、出金カセット２０に収納されている紙幣を搬送する束搬送ユニット１４と、束搬送ユニット１４により搬送される紙幣を出金する出金機出金口４６と、出金機出金口４６から出金した紙幣を取り込んで収納する収納空間５９ＳＳが内部に形成され、該収納空間５９ＳＳと連通する開口部としての取込孔３２Ｈが設けられたリトラクト庫５９とを設け、束搬送ユニット１４は、紙幣の搬送方向に沿って移動可能な可動搬送ガイド３８を有し、可動搬送ガイド３８は、取込孔３２Ｈからリトラクト庫５９の外部にはみ出した紙幣と接触することで、該紙幣を収納空間５９ＳＳへ押し込むガイドリブ３８Ｒを設けるようにした。
【０１０６】
このため紙幣出金機１０は、リトラクト庫５９から溢れた紙幣束をリトラクト庫５９内部へ押し込むことができる。これにより紙幣出金機１０は、紙幣を収納するリトラクト庫５９と、紙幣を搬送する束搬送路１４Ｙとの受け渡し部に紙幣が残留してしまうことを防止できる。
【０１０７】
また本発明の紙幣出金機１０は、紙幣が収納される出金カセット２０又はリトラクト庫５９と、紙幣を搬送する束搬送ユニット１４と、束搬送ユニット１４により搬送される紙幣を出金する出金機出金口４６と、出金カセット２０又はリトラクト庫５９が装填されるカセットフレーム３４又はリジェクトカセットフレーム３３と、カセットフレーム３４又はリジェクトカセットフレーム３３における出金カセット２０又はリトラクト庫５９の近傍に設けられる表示部６４と、出金カセット２０又はリトラクト庫５９の状態を通知するよう表示部６４を制御する制御部１６とを設けるようにした。
【０１０８】
このため紙幣出金機１０は、カセット繰出口３７に紙幣が存在している場合と、可動搬送ガイド３８が紙幣束Ｗに引っ掛かりそれ以上後方へ移動できなくなっている場合、紙幣を除去することを保守員に提示することができる。これにより紙幣出金機１０は、紙幣を収納する出金カセット２０と紙幣を搬送する搬送部２２との受け渡し部であるカセット繰出口３７と、紙幣を収納するリトラクト庫５９と紙幣を搬送する束搬送路１４Ｙとの受け渡し部とに紙幣が残留してしまうことを防止できる。
【０１０９】
［２．第２の実施の形態］
［２−１．現金自動取引装置の構成］
図１と対応する部材に同一符号を付した図１９に示すように第２の実施の形態による現金自動取引装置１０１は、第１の実施の形態による現金自動取引装置１（図１）と比較して、後面扉２Ｂに代わる後面扉１０２Ｂと、紙幣出金機１０に代わる紙幣出金機１１０とを有する点において相違するものの、他の点においては同様に構成されている。後面扉１０２Ｂは第１の実施の形態による後面扉２Ｂと比較して、表示部材１７４が設けられている点において相違するものの、他の点においては同様に構成されている。紙幣出金機１１０は、第１の実施の形態による紙幣出金機１０と比較して、カセットフレーム３４及びリジェクトカセットフレーム３３に表示部６４が設けられていない点において相違するものの、他の点においては同様に構成されている。
【０１１０】
［２−２．表示部材の構成］
表示部材１７４は、後面扉１０２Ｂの表面に設けられており、図２１に示すように表示部１６４Ｅ、１６４Ａ、１６４Ｂ、１６４Ｃ及び１６４Ｄが上から下へ向かって並んで配置されている。以下では表示部１６４Ａ、１６４Ｂ、１６４Ｃ、１６４Ｄ及び１６４Ｅをまとめて表示部１６４とも呼ぶ。それぞれの表示部１６４は、表示部６４（図５）と同様に機能する緑色部ＧＣと赤色部ＲＣとが設けられている。
【０１１１】
［２−３．紙幣出金機の制御構成］
図６と対応する部材に同一符号を付した図２０に示すように現金自動取引装置１０１は、紙幣出金機１１０の外部に設けられた表示制御部７０が、紙幣出金機１１０の制御基板６５と無線インターフェース７５により接続されている。紙幣出金機１０は、制御基板６５が組み込まれており、この制御基板６５は、図６と同様の制御部１６として機能する。表示制御部７０は、制御基板６５からの表示指示に基づき、表示部１６４Ａ、１６４Ｂ、１６４Ｃ、１６４Ｄ及び１６４Ｅを制御し、表示を変化させる。
【０１１２】
［２−４．表示処理手順］
次に、制御部１６による表示処理の具体的な処理手順について、図１７と対応するステップと同様のステップに同一符号を付した図２２のフローチャートを用いて説明する。紙幣出金機１０の電源が投入されると制御部１６は、ＲＯＭ（図示せず）から表示処理プログラムを読み出して実行することにより表示処理手順ＲＴ１１を開始し、ステップＳＰ１へ移る。ステップＳＰ１〜ステップＳＰ１３において制御部１６は、表示処理手順ＲＴ１（図１７）と同様の処理を行う。ステップＳＰ１１４において制御部１６は、表示部１６４Ｅの赤色部ＲＣを点滅周期２で点滅させる。ステップＳＰ１１５において制御部１６は、表示部１６４Ｅの赤色部ＲＣを点滅周期３で点滅させる。ステップＳＰ１６において制御部１６は、表示処理手順ＲＴ１（図１７）と同様の処理を行う。
【０１１３】
このように現金自動取引装置１０１は、後面扉１０２Ｂの表面に表示部材１７４を設けるようにした。これにより現金自動取引装置１０１は、後面扉１０２Ｂを開放させることなく、行員及び保守員に装置状態を現金自動取引装置１０１の外側の保守面側から確認させることができる。
【０１１４】
また現金自動取引装置１０１は、リトラクト庫５９がニアフル状態の場合とフル状態の場合とで、表示部１６４Ｅの赤色部ＲＣの点滅周期を異なるようにした。これにより現金自動取引装置１０１は、リトラクト庫５９がニアフル状態の場合とフル状態の場合とを外部から一目で行員及び保守員に判別させることができる。
【０１１５】
その他第２の実施の形態による現金自動取引装置１０１は、第１の実施の形態による現金自動取引装置１と同様の作用効果を奏する。
【０１１６】
［３．第３の実施の形態］
［３−１．現金自動取引装置の構成］
図１と対応する部材に同一符号を付した図２３に示すように第３の実施の形態による現金自動取引装置２０１は、第２の実施の形態による現金自動取引装置１０１と比較して、筐体２に代わる筐体２０２を有すると共に表示切替スイッチ７６を有する点において相違するものの、他の点においては同様に構成されている。筐体２０２は、第１の実施の形態による筐体２と比較して、後面扉２Ｂに代わる前面扉２０２Ｆを有する点において相違するものの、他の点においては同様に構成されている。前面扉２０２Ｆは、第１の実施の形態による後面扉２Ｂと比較して、表示部材２７４が設けられている点において相違するものの、他の点においては同様に構成されている。紙幣出金機１１０は、第１の実施の形態による紙幣出金機１０と比較して、カセットフレーム３４及びリジェクトカセットフレーム３３に表示部６４が設けられていない点において相違するものの、他の点においては同様に構成されている。
【０１１７】
筐体２０２は、前面側に、開閉可能な前面扉２０２Ｆが設けられている。筐体２０２は、顧客との間で取引処理が行われる取引動作時の場合には前面扉２０２Ｆを閉鎖することにより、現金自動取引装置２０１の内部を保護する。一方筐体２０２は、保守員や金融機関の行員等により保守作業が行われる保守作業時の場合には、必要に応じて前面扉２０２Ｆを開放することにより、内部の各部に対する作業を容易に行わせ得る。保守員は、表示モードを変更する際、前面扉２０２Ｆを解錠して該前面扉２０２Ｆを開放させて表示切替スイッチ７６を操作する。このように現金自動取引装置２０１は、保守が行われる保守面が前面側となっている。
【０１１８】
表示部材２７４は、表示部材１７４（図２１）と同様に構成されており、前面扉２０２Ｆの表面に設けられている。表示部１６４は、制御基板６５と無線インターフェースにより接続されている。
【０１１９】
筐体２０２の内壁面には、表示切替スイッチ７６が設けられている。表示切替スイッチ７６は、保守員に操作されることにより表示モードを切り替える。
【０１２０】
図６と対応する部材に同一符号を付した図２４に示すように紙幣出金機２１０の装置管理部６６は、束搬送部６７、紙幣搬送部６８及びカセット制御部６９に加えて、表示切替スイッチ７６の状態を監視して、状態の変化に応じて表示制御部７０へ表示指示を行う。
【０１２１】
表示部材２７４は、顧客等の使用者も視認可能な現金自動取引装置２０１の前面側に配置されている。このため現金自動取引装置２０１は、保守員が使用する場合以外は、使用者が視認しても問題ない情報を表示する。
【０１２２】
表示切替スイッチ７６による表示切替の状態遷移図を図２５に示す。現金自動取引装置２０１は、電源ＯＦＦ状態ＭＰＦから電源が投入されると、まず運用表示状態ＭＯＰに遷移する。運用表示状態ＭＯＰで表示切替スイッチ７６がＯＮ状態にされると、現金自動取引装置２０１は、保守表示状態ＭＯＭに切り替わる。この保守表示状態ＭＯＭにおいて現金自動取引装置２０１は、表示処理手順ＲＴ１（図１７）におけるステップＳＰ１２と同様に表示部１６４を表示させる。保守表示状態ＭＯＭで表示切替スイッチ７６がＯＦＦ状態にされると、現金自動取引装置２０１は、運用表示状態ＭＯＰに切り替わる。
【０１２３】
この運用表示状態ＭＯＰにおいて現金自動取引装置２０１は、例えば、表示部１６４を段階的に点灯させることにより、出金処理における進捗状態の過程を顧客に認識させる。具体的に現金自動取引装置２０１は、図２６（Ａ）に示すように、出金前の場合は全ての表示部１６４の赤色部ＲＣを全消灯させる。続いて現金自動取引装置２０１は、図２６（Ｂ）に示すように、出金処理が０［％］〜２０［％］の進捗状態の場合は、最も下側の１個の表示部１６４、すなわち表示部１６４Ｄの赤色部ＲＣを点灯させる。続いて現金自動取引装置２０１は、図２６（Ｃ）に示すように、出金処理が２０［％］〜４０［％］の進捗状態の場合は、１個上側の表示部１６４を加え、すなわち表示部１６４Ｄ及び１６４Ｃの赤色部ＲＣを点灯させる。続いて現金自動取引装置２０１は、図２６（Ｄ）に示すように、出金処理が４０［％］〜６０［％］の進捗状態の場合は、さらに１個上側の表示部１６４を加え、すなわち表示部１６４Ｄ、１６４Ｃ及び１６４Ｂの赤色部ＲＣを点灯させる。続いて現金自動取引装置２０１は、図２６（Ｅ）に示すように、出金処理が６０［％］〜８０［％］の進捗状態の場合は、さらに１個上側の表示部１６４を加え、すなわち表示部１６４Ｄ、１６４Ｃ、１６４Ｂ及び１６４Ａの赤色部ＲＣを点灯させる。続いて現金自動取引装置２０１は、図２６（Ｆ）に示すように、出金処理が８０［％］〜１００［％］の進捗状態の場合は、さらに１個上側の表示部１６４を加え、すなわち表示部１６４Ｄ、１６４Ｃ、１６４Ｂ、１６４Ａ及び１６４Ｅの赤色部ＲＣを、すなわち全ての表示部１６４の赤色部ＲＣを点灯させる。
【０１２４】
このように現金自動取引装置２０１は、前面扉２０２Ｆの表面に表示部材２７４を設けるようにした。このため現金自動取引装置２０１は、保守面が前面の場合であっても前面扉２０２Ｆを開放させることなく、保守員に装置状態を保守面から確認させることができる。また現金自動取引装置２０１は、表示切替スイッチ７６により顧客が表示部１６４を見ても情報を得られないようにすることで、保守用の状態表示を隠すことができるため、顧客が視認可能な現金自動取引装置２０１の表面に設けられた前面扉２０２Ｆに表示部１６４を設けることができる。
【０１２５】
また現金自動取引装置２０１は、運用表示状態ＭＯＰにおいては、表示部１６４を段階的に点灯させることにより、出金処理における進捗状態を顧客に認識させることができ、利便性を向上させることができる。
【０１２６】
その他第３の実施の形態による現金自動取引装置２０１は、第１の実施の形態による現金自動取引装置１と同様の作用効果を奏する。
【０１２７】
［４．他の実施の形態］
なお上述した実施の形態においては、可動搬送ガイド３８の後端にガイドリブ３８Ｒを設ける場合について述べた。本発明はこれに限らず、可動搬送ガイド３８の後端から前端までに渡ってガイドリブ３８Ｒを設けても良い。
【０１２８】
また上述した実施の形態においては、可動搬送ガイド３８に一定負荷以上のトルクが加わると、トルクリミッタギア５５を空転させる場合について述べた。本発明はこれに限らず、一定負荷以上の負荷が加わると動力を伝達しなくする種々の機構を用いても良い。
【０１２９】
また上述した実施の形態においては、左側面視で前後方向に所定の幅を有する矩形状であるガイドリブ先端凹部３９Ｒがガイドリブ先端凹凸部３９に形成されている場合について述べた。本発明はこれに限らず、要は紙幣の前端部が入り込むと引っかかる構造になっていれば良い。
【０１３０】
また、例えば現金自動取引装置１に対する強い衝撃や振動を検知すると出金カセット２０内部の紙幣に噴射される防盗インクが噴射されたことを外部から認識できるように、防盗インク機能の状態を表示部６４に表示させても良い。第２及び第３の実施の形態においても同様である。
【０１３１】
また上述した第３の実施の形態においては、筐体２０２の内壁面に設けられた表示切替スイッチ７６を操作されることにより表示モードを切り替える場合について述べた。本発明はこれに限らず、例えば、前面扉２０２Ｆの裏面に設けた表示切替スイッチ７６を操作されることにより表示モードを切り替えたり、前面扉２０２Ｆが解錠されたら表示モードを切り替えたりしても良い。要は一般の顧客は操作不能である一方保守員は操作可能な行為に基づき表示モードを切り替えれば良い。
【０１３２】
さらに上述した実施の形態においては、４通りの異なる点滅周期で赤色部ＲＣを点滅させる場合について述べた。本発明はこれに限らず、任意の種類の点滅周期で赤色部ＲＣを点滅させても良い。
【０１３３】
さらに上述した第１の実施の形態においては、緑色部ＧＣと赤色部ＲＣとの２色のＬＥＤを表示部６４に設ける場合について述べた。本発明はこれに限らず、任意の個数の発光部としてのＬＥＤを表示部に設けても良い。第２及び第３の実施の形態においても同様である。
【０１３４】
さらに上述した第１の実施の形態においては、出金カセット２０及びリジェクトカセット３２に対し蝶番２ＢＨから離隔する側に表示部６４を配置する場合について述べた。本発明はこれに限らず、出金カセット２０及びリジェクトカセット３２に対し蝶番２ＢＨに近接する側等、種々の箇所に表示部６４を配置しても良い。要は、出金カセット２０及びリジェクトカセット３２それぞれの近傍に表示部６４を配置すれば良い。
【０１３５】
さらに上述した第２の実施の形態においては、表示制御部７０と制御基板６５とを無線インターフェース７５で接続させる場合について述べた。本発明はこれに限らず、表示制御部７０と制御基板６５とを有線のインターフェースで接続させても良い。第３の実施の形態においても同様である。
【０１３６】
さらに上述した実施の形態においては、紙幣を出金する紙幣出金機１０に本発明を適用する場合について述べた。しかしながら本発明はこれに限らず、例えば種々の金券や証券、或いは各種チケット等、紙葉状の媒体を収納しておき、これを利用者に引き渡す種々の装置や、利用者に紙幣等の現金を入金させまた利用者へ現金を出金する現金入出金機等に適用しても良い。
【０１３７】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１３８】
さらに上述した実施の形態においては、紙幣収納庫としての出金カセット２０と、押込部としてのガイドリブ３８Ｒが形成された可動ガイドとしての可動搬送ガイド３８とを有する搬送部としての束搬送ユニット１４と、出金部としての出金機出金口４６と、回収庫としてのリトラクト庫５９とによって、現金自動支払機としての紙幣出金機１０を構成する場合について述べた。しかしながら本発明はこれに限らず、その他種々の構成でなる紙幣収納庫と、押込部が形成された可動ガイドを有する搬送部と、出金部と、回収庫とによって、現金自動支払機を構成しても良い。
【０１３９】
さらに上述した実施の形態においては、カセットとしての出金カセット２０又はリトラクト庫５９と、搬送部としての束搬送ユニット１４と、出金部としての出金機出金口４６と、装填フレームとしてのカセットフレーム３４又はリジェクトカセットフレーム３３と、表示部としての表示部６４と、制御部としての制御部１６とによって、現金自動支払機としての紙幣出金機１０を構成する場合について述べた。しかしながら本発明はこれに限らず、その他種々の構成でなるカセットと、搬送部と、出金部と、装填フレームと、表示部と、制御部とによって、現金自動支払機を構成しても良い。
【産業上の利用可能性】
【０１４０】
本発明は、紙幣収納庫に紙幣を収納しておき、利用者の操作に応じこの紙幣を出金する紙幣出金機でも利用できる。
【符号の説明】
【０１４１】
１、１０１、２０１……現金自動取引装置、２、２０２……筐体、２Ｂ、１０２Ｂ……後面扉、２０２Ｆ……前面扉、２ＢＨ……蝶番、３……顧客応対部、４……カード入出口、５……出金口、６……操作表示部、７……テンキー、８……レシート発行口、９……主制御部、１０、１１０……紙幣出金機、１２……収納ユニット、１４……束搬送ユニット、１４Ｙ……束搬送路、１６……制御部、１８……収納筐体、２０Ａ……第１出金カセット、２０Ｂ……第２出金カセット、２０Ｃ……第３出金カセット、２０Ｄ……第４出金カセット、２２……搬送部、２６……鑑別部、２８……切替部、３０……集積部、３０Ｓ……集積空間、３０Ｔ……ステージ、３０Ｊ……放出部、３０Ｈ……集積孔、３０ＴＰ……ピン、３１……搬送受渡センサ、３２……リジェクトカセット、３２Ｈ……取込孔、３２Ｆ……リジェクトカセット筐体、３３……リジェクトカセットフレーム、３４……カセットフレーム、３６……分離繰出部、３７……カセット繰出口、３８……可動搬送ガイド、３８Ｐ……搬送ガイド板状部、３８Ｒ……ガイドリブ、３８ＲＲ……ガイドリブ凹部、３９……ガイドリブ先端凹凸部、３９Ｒ……ガイドリブ先端凹部、４０……束搬送筐体、４２……上搬送ベルト、４４……出金口搬送ベルト、４５……押出部、４６……出金機出金口、４７……ステージ移動機構、４８……可動搬送ガイド移動機構、４９……摺動溝、５０……モータ、５１……ギア、５２……ギア、５３……アーム、５４……ギア、５５……トルクリミッタギア、５６……ステージダウンセンサ、５７……ステージアップセンサ、５８……リジェクト庫、５９……リトラクト庫、５９ＳＳ……収納空間、５９ＧＳ……案内空間、５９ＩＳ……傾斜面、６０……フルセンサ、６１……可動ガイドクローズセンサ、６２……噛合部、６３……カセットリブ、６３Ｒ……カセットリブ凹部、６４Ａ、６４Ｂ、６４Ｃ、６４Ｄ、６４Ｅ、１６４Ａ、１６４Ｂ、１６４Ｃ、１６４Ｄ、１６４Ｅ……表示部、ＧＣ……緑色部、ＲＣ……赤色部、６５……制御基板、６６……装置管理部、６７……束搬送部、６８……紙幣搬送部、６９……カセット制御部、７０……表示制御部、７１……インターフェース、７２……コンピュータ、１７４、２７４……表示部材、７５……無線インターフェース、７６……表示切替スイッチ、ＭＰＦ……電源ＯＦＦ状態、ＭＯＰ……運用表示状態、ＭＯＭ……保守表示状態、Ｄ１……センサ距離。
【図１】
2019152933.tif 000003
【図２】
2019152933.tif 000004
【図３】
2019152933.tif 000005
【図４】
2019152933.tif 000006
【図５】
2019152933.tif 000007
【図６】
2019152933.tif 000008
【図７】
2019152933.tif 000009
【図８】
2019152933.tif 000010
【図９】
2019152933.tif 000011
【図１０】
2019152933.tif 000012
【図１１】
2019152933.tif 000013
【図１２】
2019152933.tif 000014
【図１３】
2019152933.tif 000015
【図１４】
2019152933.tif 000016
【図１５】
2019152933.tif 000017
【図１６】
2019152933.tif 000018
【図１７】
2019152933.tif 000019
【図１８】
2019152933.tif 000020
【図１９】
2019152933.tif 000021
【図２０】
2019152933.tif 000022
【図２１】
2019152933.tif 000023
【図２２】
2019152933.tif 000024
【図２３】
2019152933.tif 000025
【図２４】
2019152933.tif 000026
【図２５】
2019152933.tif 000027
【図２６】
2019152933.tif 000028